(57)【要約】【課題】発泡要素を効果的に発泡させてムース状の泡塊を効率よく生成でき、しかも泡立後の塗付作業を簡便に、しかも速やかに行うことができる泡立器を提供する。【解決手段】泡生成部４を備えた泡立容器１と、発泡要素を撹拌して泡を生成する撹拌体２とを備えている。撹拌体２は、発泡要素を撹拌するブラシ体２０と、ブラシ体２０を支持する本体ケース２１と、本体ケース２１に設けられてブラシ体２０を駆動するブラシ駆動構造とを含む。泡生成部４にブラシ体２０が位置している撹拌状態と、泡立容器１の泡生成部４の空間を開放した開放状態とに状態変更できるように構成されている。撹拌体２のブラシ体２０が本体ケース２１に対して着脱可能に連結してある。【選択図】図４
2015205077.tif 000002
【特許請求の範囲】
【請求項１】
泡生成部（４）を備えた泡立容器（１）と、発泡要素を撹拌して泡を生成する撹拌体（２）とを備えており、
撹拌体（２）は、発泡要素を撹拌するブラシ体（２０）と、ブラシ体（２０）を支持する本体ケース（２１）と、本体ケース（２１）に設けられてブラシ体（２０）を駆動するブラシ駆動構造とを含み、
泡生成部（４）にブラシ体（２０）が位置している撹拌状態と、泡立容器（１）の泡生成部（４）の空間を開放した開放状態とに状態変更できるように構成されており、
撹拌体（２）のブラシ体（２０）が本体ケース（２１）に対して着脱可能に連結してあることを特徴とする泡立器。
【請求項２】
撹拌体（２）が泡立容器（１）に対して着脱可能に装着してある請求項１に記載の泡立器。
【請求項３】
ブラシ体（２０）が、本体ケース（２１）で支持されるブラシベース（６０）と、ブラシベース（６０）に支持されるブラシ束（６１）とを含み、
上記撹拌状態において、ブラシ束（６１）の先端が泡生成部（４）の内面壁に接触して弾性変形しており、
ブラシ体（２０）をブラシ駆動構造で駆動して、ブラシ束（６１）に圧力が作用する状態で発泡要素を発泡させる請求項１または２に記載の泡立器。
【請求項４】
泡生成部（４）を備えた泡立容器（１）と、発泡要素を撹拌して泡を生成する撹拌体（２）と、撹拌体（２）を撹拌姿勢で支持するホルダー（３）とを備えており、
撹拌体（２）は、発泡要素を撹拌するブラシ体（２０）と、グリップを兼ねてブラシ体（２０）を支持する本体ケース（２１）と、本体ケース（２１）に設けられてブラシ体（２０）を駆動するブラシ駆動構造とを含み、
本体ケース（２１）をホルダー（３）に装着して泡生成部（４）にブラシ体（２０）が位置している撹拌状態と、泡立容器（１）の泡生成部（４）の空間を開放した開放状態とに状態変更できるように構成されており、
ホルダー（３）が泡立容器（１）と一体に形成してある請求項１から３のいずれかひとつに記載の泡立器。
【請求項５】
泡立容器（１）が、上向きに開口する泡生成部（４）と、泡生成部（４）を支持するスタンド（５）とを備えており、
泡生成部（４）の周囲壁の上部に連続して、撹拌体（２）を支持する樋体状のホルダー（３）が形成されており、
泡生成部（４）の内部空間とホルダー（３）の内部空間とが、泡生成部（４）の上開口面より下方で連通させてある請求項４に記載の泡立器。
【請求項６】
ホルダー（３）がホルダー底壁（８）と、ホルダー底壁（８）に連続して上向に延びるホルダー側壁（９）とを備えており、
本体ケース（２１）をホルダー（３）に装着して撹拌姿勢に保持した状態において、本体ケース（２１）の周面がホルダー底壁（８）およびホルダー側壁（９）で支持されている請求項５に記載の泡立器。
【請求項７】
スタンド（５）が、泡生成部（４）の下方からホルダー（３）の下方にわたって連出してある請求項５または６に記載の泡立器。
【請求項８】
本体ケース（２１）から分離したブラシ体（２０）を、ホルダー（３）の下面に設けたブラシ支持具（１０）に装着し保管できる請求項５から７のいずれかひとつに記載の泡立器。
【請求項９】
ブラシ体（２０）のブラシベース（６０）に、ホルダー（３）のブラシ支持具（１０）に着脱される装着構造（９３）が設けられており、
ブラシベース（６０）の装着構造（９３）をホルダー（３）のブラシ支持具（１０）に装着した状態において、ブラシ束（６１）が下向きになる状態で、ブラシ体（２０）がブラシ支持具（１０）で吊下げ支持されている請求項８に記載の泡立器。
【請求項１０】
ブラシ体（２０）のブラシベース（６０）に、化粧カバー（８０）を着脱自在に支持するための装着構造（９３）が設けられており、
化粧カバー（８０）を前記装着構造（９３）を介してブラシベース（６０）に装着した状態において、化粧カバー（８０）が装着構造（９３）の外面を覆っている請求項１から９のいずれかひとつに記載の泡立器。
【請求項１１】
ブラシ体（２０）のブラシベース（６０）に、ブラシ駆動構造の駆動軸（３９）に着脱可能に連結される継手体（６４）が設けられており、
化粧カバー（８０）が、装着構造（９３）を兼ねる継手体（６４）に着脱可能に装着してある請求項１０に記載の泡立器。
【請求項１２】
化粧カバー（８０）の周縁に、ブラシベース（６０）と化粧カバー（８０）の接合面の外方へ突出する指掛片（８３）が突設してある請求項１０または１１に記載の泡立器。
【請求項１３】
撹拌体（２）は、泡立容器（１）に設けたホルダー（３）に対して、支軸（１４３）を介して回動可能に連結されており、
撹拌体（２）は支軸（１４３）を中心にして回動して、ブラシ体（２０）の先端が泡生成部（４）に位置する撹拌姿勢と、ブラシ体（２０）が泡生成部（４）の外方へ退避する待機姿勢とに姿勢変更できるよう支持されており、
上記撹拌姿勢のときが撹拌状態となっており、上記待機姿勢のときが開放状態となっている請求項１または３に記載の泡立器。
【発明の詳細な説明】
【技術分野】
【０００１】
本発明は、例えば洗顔用やシェービング用の洗浄剤、あるいは毛染め剤などの発泡要素をムース状に発泡させるための泡立器に関する。本発明における発泡要素とは、洗浄剤などの発泡剤、または発泡剤と水または湯などの発泡液の混合物を意味する。
【背景技術】
【０００２】
この種の泡立器に関して、洗面台や風呂場において使用する電動式の泡発生装置が公知である（特許文献１）。そこでは、すりばち状の受け皿を備えた容器と、受け皿の中央底部に配置される回転ブラシと、回転ブラシを回転駆動するモーターと、回転ブラシの周囲を覆うメッシュカバーなどで泡立器を構成している。使用時には、受け皿の底部の液溜りに液体石鹸（発泡要素）を入れ、モーターを起動して回転ブラシを垂直軸周りに回転駆動することにより、液体石鹸を撹拌して空気を混入し発泡させて、クリーム状の石鹸泡を生成できる。また、回転ブラシの周囲がメッシュカバーで覆われているので、泡立時に泡や液体石鹸が回転ブラシで周囲に飛散するのを防止できる。
【０００３】
その他に泡立容器については特許文献２がある。そこでは、脚付のデザートカップ状に形成した容器本体の内面に、発泡を促進する一群の円形突起が設けられている。円形突起は、容器本体の底面の中央に形成される大径突起と、大径突起の周囲に形成される一群の小径突起とからなり、大径突起の膨出寸法が小径突起の膨出寸法より大きく設定されている。泡立時には、容器本体に水と溶体を入れ、これら両者をブラシで撹拌することにより空気を混入して発泡させる。溶体はペースト状あるいはゼリー状の石鹸からなる。
【先行技術文献】
【特許文献】
【０００４】
【特許文献１】特開平０６−２２８８０号公報（段落番号０００６、図１）
【特許文献２】特開２００１−５４４８４号公報（段落番号００１２、図２）
【発明の概要】
【発明が解決しようとする課題】
【０００５】
特許文献１の泡発生装置によれば、クリーム状の石鹸泡を自動的に生成できる。しかし、生成された石鹸泡を顔肌や髪に塗付する際には、受け皿内の石鹸泡を手やブラシで繰返しすくい取って、顔肌や髪に塗付ける必要があり、泡立後の塗付作業に多くの手間がかかる。
【０００６】
特許文献２の泡立用容器によれば、撹拌用のブラシの毛束を大径突起と一群の小径突起に衝突させることにより、水と溶体を撹拌するのと同時に空気を混入して、ムース状の泡塊を生成できる。しかし、片手に持ったブラシで水と溶体の混合液（発泡要素）を撹拌するので、泡立て結果に個人差を生じやすく、ユーザーによっては十分な量の細かな泡を手際よく発泡させるのが難しい。また、大径突起と小径突起とが、容器本体の内面の過半下部に限って形成されているため、泡塊の生成が進行するのに伴って水と溶体の混合液が泡塊に覆われてしまい、混合液を効果的に撹拌するのが難しくなる。さらに、泡塊の生成がある程度まで進行すると、水と溶体の混合液の上面全体が泡塊で覆われるため、泡塊によって空気の混入が妨げられてしまい、効果的に泡塊を生成できなくなる。
【０００７】
本発明の目的は、泡立後の塗付作業を簡便に、しかも速やかに行うことができる泡立器を提供することにある。
【課題を解決するための手段】
【０００８】
本発明に係る泡立器は、泡生成部４を備えた泡立容器１と、発泡要素を撹拌して泡を生成する撹拌体２とを備えている。撹拌体２は、発泡要素を撹拌するブラシ体２０と、ブラシ体２０を支持する本体ケース２１と、本体ケース２１に設けられてブラシ体２０を駆動するブラシ駆動構造とを含む。泡生成部４にブラシ体２０が位置している撹拌状態と、泡立容器１の泡生成部４の空間を開放した開放状態とに状態変更できるように構成されている。撹拌体２のブラシ体２０が本体ケース２１に対して着脱可能に連結してあることを特徴とする。
【０００９】
撹拌体２が泡立容器１に対して着脱可能に装着してある。
【００１０】
ブラシ体２０が、本体ケース２１で支持されるブラシベース６０と、ブラシベース６０に支持されるブラシ束６１とを含む。上記撹拌状態において、ブラシ束６１の先端が泡生成部４の内面壁に接触して弾性変形している。ブラシ体２０をブラシ駆動構造で駆動して、ブラシ束６１に圧力が作用する状態で発泡要素を発泡させる。
【００１１】
泡生成部４を備えた泡立容器１と、発泡要素を撹拌して泡を生成する撹拌体２と、撹拌体２を撹拌姿勢で支持するホルダー３とを備えている。撹拌体２は、発泡要素を撹拌するブラシ体２０と、グリップを兼ねてブラシ体２０を支持する本体ケース２１と、本体ケース２１に設けられてブラシ体２０を駆動するブラシ駆動構造とを含む。本体ケース２１をホルダー３に装着して泡生成部４にブラシ体２０が位置している撹拌状態と、泡立容器１の泡生成部４の空間を開放した開放状態とに状態変更できるように構成されている。ホルダー３が泡立容器１と一体に形成してある。
【００１２】
泡立容器１が、上向きに開口する泡生成部４と、泡生成部４を支持するスタンド５とを備えている。泡生成部４の周囲壁の上部に連続して、撹拌体２を支持する樋体状のホルダー３が形成されている。泡生成部４の内部空間とホルダー３の内部空間とが、泡生成部４の上開口面より下方で連通させてある。
【００１３】
ホルダー３がホルダー底壁８と、ホルダー底壁８に連続して上向に延びるホルダー側壁９とを備えている。本体ケース２１をホルダー３に装着して撹拌姿勢に保持した状態において、本体ケース２１の周面がホルダー底壁８およびホルダー側壁９で支持されている。
【００１４】
スタンド５が、泡生成部４の下方からホルダー３の下方にわたって連出してある。
【００１５】
本体ケース２１から分離したブラシ体２０を、ホルダー３の下面に設けたブラシ支持具１０に装着し保管できる。  
【００１６】
ブラシ体２０のブラシベース６０に、ホルダー３のブラシ支持具１０に着脱される装着構造９３が設けられている。ブラシベース６０の装着構造９３をホルダー３のブラシ支持具１０に装着した状態において、ブラシ束６１が下向きになる状態で、ブラシ体２０がブラシ支持具１０で吊下げ支持されている。
【００１７】
ブラシ体２０のブラシベース６０に、化粧カバー８０を着脱自在に支持するための装着構造９３が設けられている。化粧カバー８０を前記装着構造９３を介してブラシベース６０に装着した状態において、化粧カバー８０が装着構造９３の外面を覆っている。
【００１８】
ブラシ体２０のブラシベース６０に、ブラシ駆動構造の駆動軸３９に着脱可能に連結される継手体６４が設けられている。化粧カバー８０が、装着構造９３を兼ねる継手体６４に着脱可能に装着してある。
【００１９】
化粧カバー８０の周縁に、ブラシベース６０と化粧カバー８０の接合面の外方へ突出する指掛片８３が突設してある。
【００２０】
撹拌体２は、泡立容器１に設けたホルダー３に対して、支軸１４３を介して回動可能に連結されている。撹拌体２は支軸１４３を中心にして回動して、ブラシ体２０の先端が泡生成部４に位置する撹拌姿勢と、ブラシ体２０が泡生成部４の外方へ退避する待機姿勢とに姿勢変更できるよう支持されている。上記撹拌姿勢のときが撹拌状態となっており、上記待機姿勢のときが開放状態となっている。
【発明の効果】
【００２１】
本発明では、泡生成部４にブラシ体２０が位置している撹拌状態と、泡立容器１の泡生成部４の空間を開放した開放状態とに状態変更できるように構成し、撹拌体２のブラシ体２０が本体ケース２１に対して着脱可能に連結している。撹拌体２のブラシ体２０で発泡要素を撹拌することにより、発泡要素を効果的に発泡させて泡塊を効率よく生成できる。このとき泡生成部４の空間を開放できるので、泡塊の取り出しが容易となる。ブラシ体２０が本体ケース２１に対して着脱可能に連結しているので、取り外したブラシ体２０で泡塊を必要個所に塗付できるので、泡立後の泡塊の塗付作業を簡便に、しかも速やかに行うことができる。泡を塗付するときは、本体ケース２１に比べて軽量のブラシ体２０のみを保持すればよいので、持ち重りすることもなくていねいに泡を塗付できる。また、ブラシ体２０を肌面に接触させてなでつけることにより、ユーザーの好みに合った洗浄状態で肌面を積極的に洗浄できる。ブラシ体２０を水洗い洗浄するときに、ブラシ体２０の隅々までていねいに洗浄して泡を確実に洗い流すことができる。
【００２２】
撹拌体２を泡立容器１に対して着脱可能に装着している。こうした泡立器によれば、泡立容器１に装着した撹拌体２のブラシ体２０で発泡要素を撹拌することにより、発泡要素を効果的に発泡させてムース状の泡塊を効率よく生成できる。また、撹拌体２を泡立容器１から取外して、そのまま撹拌体２のブラシ体２０で泡塊を必要個所に塗付できるので、泡立後の泡塊の塗付作業を簡便に、しかも速やかに行うことができる。
【００２３】
ブラシ束６１の先端が泡生成部４の内面壁に沿って弾性変形するようになっていると、ブラシ体２０をブラシ駆動構造で駆動するとき、ブラシ束６１に圧力が作用する状態で発泡要素を発泡させることができる。従って、ブラシ束６１で発泡要素と泡塊に圧力をかけながら発泡し流動させることができるので、発泡要素をさらに効果的に発泡させることができる。
【００２４】
本体ケース２１をホルダー３に装着して泡生成部４にブラシ体２０が位置している撹拌状態と、泡立容器１の泡生成部４の空間を開放した開放状態とに状態変更できるように構成するとともに、ホルダー３を泡立容器１と一体に形成する。こうした泡立器によれば、泡立容器１に装着した撹拌体２のブラシ体２０で発泡要素を撹拌することにより、発泡要素を効果的に発泡させてムース状の泡塊を効率よく生成できる。ホルダー３を泡立容器１と一体に形成すると、撹拌体２の本体ケース２１をホルダー３に装着して撹拌姿勢に保持した状態において、本体ケース２１をホルダー３で回転不能に支持できる。従って、泡立時に本体ケース２１に作用する回転反力をホルダー３で受止めて、撹拌体２を安定的に支持した状態で泡生成作業を行うことができる。
【００２５】
泡生成部４の周囲壁の上部に連続して樋体状のホルダー３を形成し、泡生成部４の内部空間とホルダー３の内部空間とを、泡生成部４の上開口面より下方で連通させると、泡立容器１の全体の上下寸法を小さくできる。また、撹拌体２をホルダー３に装着した状態において撹拌体２が横臥姿勢になるので、泡立容器１および撹拌体２の重心位置を低くすることができるので、泡立容器１および撹拌体２をスタンド５で安定した状態で支持して泡生成作業を行うことができる。
【００２６】
ホルダー底壁８とホルダー側壁９とでホルダー３を構成し、本体ケース２１をホルダー３に装着した状態において、本体ケース２１の周面をホルダー底壁８およびホルダー側壁９で支持すると、本体ケース２１をホルダー３で安定した状態に支持できる。また、泡立時にブラシ体２０が、器底壁１５や器周囲壁１６から回転反力を受けても、本体ケース２１が回転反力方向へ回転するのを、ホルダー側壁９およびホルダー底壁８で規制できるので、泡生成を行う際に撹拌体２を押え保持する必要がない。
【００２７】
泡生成部４の下方からホルダー３の下方にわたってスタンド５を連出すると、泡立容器１を安定した状態で支持できるのはもちろん、撹拌体２をホルダー３に装着した状態であっても、撹拌体２および泡立容器１を安定支持して、泡の生成を手放し状態で確実に行える。
【００２８】
ブラシ体２０を本体ケース２１に対して着脱可能に連結した撹拌体２によれば、本体ケース２１から分離したブラシ体２０を、ホルダー３の下面に設けたブラシ支持具１０に装着して保管することができる。従って、ブラシ支持具１０に装着したブラシ体２０の外面全体を空気中に露出させて、水洗い後のブラシ体２０の乾燥を促進することができる。また、ホルダー３の下面に設けたブラシ支持具１０にブラシ体２０を装着するので、ホルダー３の下面側のデッドスペースを利用してブラシ体２０を保管できる。
【００２９】
ブラシベース６０の装着構造９３をホルダー３のブラシ支持具１０に装着した状態において、ブラシ束６１が下向きになる状態で、ブラシ体２０をブラシ支持具１０で吊下げ支持すると、ブラシ束６１を整った外形形状のままで乾燥することができる。因みに、ブラシ束６１を上向き、あるいは斜上向きになる状態で支持する場合には、ブラシ束６１を乾燥する過程で、乾燥したブラシ毛が外倒れ状に開くのを避けられず、次回使用時にブラシ束６１の外形を整える必要がある。
【００３０】
ブラシ体２０のブラシベース６０に装着構造９３を設け、化粧カバー８０を装着構造９３に装着した状態において、化粧カバー８０で装着構造９３の外面を覆うと、ブラシ体２０を本体ケース２１から分離して使用するときの外観を化粧カバー８０で整えることができる。また、装着構造９３を化粧カバー８０で覆うので、ブラシベース６０を片手で握ってブラシ体２０を使用するときに、手指が装着構造９３に当たるのを防止できる。
【００３１】
ブラシ体２０のブラシベース６０に設けた継手体６４が、化粧カバー８０を連結するための装着構造９３を兼ねるようにすると、継手体６４の外面を化粧カバー８０で覆って、継手体６４の内外面に異物や塵埃が付着ないし膠着するのを防できる。従って、継手体６４を駆動軸３９に対して常に適正に連結することができる。
【００３２】
化粧カバー８０の周縁に指掛片８３を突設すると、指掛片８３に指先をかけた状態で化粧カバー８０を取外し操作することにより、化粧カバー８０をブラシ支持体６２から簡便に分離できる。また、ブラシベース６０をつかんだ手指を指掛片８３の周縁で受止めて、手指が滑るのを防止できるので、ブラシ体２０を単独で使用するときのブラシ体２０のつかみ保持を確実に行える。
【００３３】
撹拌体２をホルダー３に対して支軸１４３を介して回動可能に連結した泡立器によれば、撹拌体２を回動操作することで、ブラシ体２０の先端を泡生成部４内に位置させることができる。また、泡生成後には逆方向に回動操作して待機姿勢とすることにより泡生成部４を簡単に開放状態とすることができる。この開放状態のときブラシ体２０の周囲空間も開放した状態となっており、その状態でブラシ体２０をしごきながら泡を取ることができる。ブラシ体２０の周囲空間が開放した状態となっていることにより、本体ケース２１からブラシ体２０を簡単に着脱でき、取り外したブラシ体２０で泡塊を必要個所に塗付できるので、泡立後の泡塊の塗付作業を簡便に、しかも速やかに行うことができる。このとき、支軸１４３によって少なくとも横方向にふらつかない待機姿勢となっているので、本体ケース２１からブラシ体２０を簡単に着脱できる。
【図面の簡単な説明】
【００３４】
【図１】本発明の実施例１に係る泡立器の泡立動作を示す縦断側面図である。
【図２】泡立容器と撹拌体を分離した状態で示す側面図である。
【図３】泡立容器の平面図である。
【図４】ブラシ体および下ケースを本体ケースから分離した状態の側面図である。
【図５】撹拌体の側面図である。
【図６】撹拌体の内部構造を示す縦断側面図である。
【図７】ブラシ体の縦断正面図である。
【図８】図７におけるＡ−Ａ線断面図である。
【図９】ブラシ束を調整リングで縮径操作した状態のブラシ体の断面図である。
【図１０】撹拌体を泡立容器に装着した状態の側面図である。
【図１１】駆動ピースと継手体を示す分解斜視図である。
【図１２】モーターと振動モーターの動作状態を示すタイミングチャートである。
【図１３】ブラシ体をブラシ支持具に装着した状態の側面図である。
【図１４】泡生成部とブラシ体の関係構造を示す泡立容器の縦断側面図である。
【図１５】泡生成部とブラシ体の関係構造を示す泡立容器の縦断背面図である。
【図１６】実施例２に係るブラシ体の一部破断正面図である。
【図１７】実施例３に係る泡立容器の縦断側面図である。
【図１８】実施例４に係る泡立容器の縦断背面図である。
【図１９】実施例５に係る泡立容器の縦断背面図である。
【図２０】実施例６に係る泡立容器の縦断側面図である。
【図２１】実施例７に係る泡立容器の縦断側面図である。
【図２２】実施例８に係る泡立容器の要部のみの縦断側面図である。
【図２３】実施例９に係る泡立容器とホルダーの縦断側面図である。
【図２４】実施例１０に係る泡立容器とホルダーの縦断側面図である。
【図２５】実施例１１に係る撹拌体の縦断側面図である。
【図２６】実施例１２に係る泡立容器の縦断側面図である。
【図２７】実施例１３に係る撹拌体の縦断側面図である。
【図２８】実施例１４に係る泡立器の概念図である。
【図２９】実施例１５に係る泡立器の縦断側面図である。
【図３０】実施例１６に係る泡立器の縦断側面図である。
【図３１】実施例１７に係る泡立器の縦断側面図である。
【発明を実施するための形態】
【００３５】
（実施例１）  図１ないし図１５は本発明の実施例１に係る泡立器を示す。本発明における前後、左右、上下とは、図２および図５の交差矢印と、交差矢印の近傍に表記した前後、左右、上下の表示に従う。図２において泡立器は、泡立容器１と、泡立容器１に装着される撹拌体２と、撹拌体２を泡立姿勢に支持するホルダー３とで構成される。泡立容器１は、平面視が円形で上向きに開口する泡生成部４と、泡生成部４を支持するスタンド５と、泡生成部４の後上部に連続して形成されるホルダー３を一体に備えたカレーポット状のプラスチック成型品からなる。
【００３６】
ホルダー３は、滑らかに連続するホルダー底壁８と、ホルダー底壁８に連続して上向きに延びるホルダー側壁９とで断面Ｕ字形の樋体状に形成される。ホルダー底壁８とホルダー側壁９とは、その後端から泡生成部４へ向かって下り傾斜されており、ホルダー底壁８の後端の下面側には、後述するブラシ体２０を吊下げ支持する丸軸状のブラシ支持具１０が下向きに突設されている。撹拌体２の本体ケース２１をホルダー３に装着して撹拌姿勢に保持した状態において、本体ケース２１の下半周面はホルダー底壁８およびホルダー側壁９でしっかりと支持される。従って、泡立時に本体ケース２１に作用する回転反力をホルダー側壁９で受止めて、撹拌体２をホルダー３で安定した状態に支持できる。撹拌体２を撹拌姿勢に保持した状態においては、泡生成部４にブラシ体２０が位置している撹拌状態となっている。この撹拌状態では、泡立容器１の泡生成部４の空間がブラシ体２０で閉鎖され、さらにブラシ体２０の周囲空間が泡立容器１で閉鎖された状態となっている。一方、撹拌体２の本体ケース２１をホルダー３から取り外した取り外し姿勢（手に把持した姿勢、机上など載置部に載置した姿勢、フックなど吊り下げ部に吊り下げた姿勢など）では、泡立容器１の泡生成部４の空間を開放し、さらにブラシ体２０の周囲空間を開放した開放状態となっている。つまり、本実施例の泡立器では、撹拌体２の着脱操作によって撹拌状態と開放状態に状態変更できるように構成されている。また後述するように撹拌体２のブラシ体２０が本体ケース２１に対して着脱可能に連結してある。
【００３７】
図３に示すようにホルダー３の内部空間と泡生成部４の内部空間との間には、両空間を前後に区分する逆Ｖ字状の区分壁１１が形成され、その左右中央に前記両空間を連通する連通溝１２が、区分壁１１と直交する状態で凹み形成されている。ホルダー３の内部空間に臨む区分壁１１のうち、連通溝１２を囲む傾斜壁は、ホルダー３に装着した撹拌体２を受止めるための規制部１３として機能する。規制部１３はホルダー３の内部空間の傾斜下端に位置されている。区分壁１１で前後に区分されたホルダー３の内部空間と泡生成部４の内部空間とは、泡生成部４の上開口面より下方で連通されている。区分壁１１とホルダー底壁８との交差部分、つまり、ホルダー３の内部空間の傾斜下端で最も低い個所には排液口１４が上下貫通状に形成されており、本体ケース２１から流れ落ちてホルダー３内へ流下した液体は、先の排液口１４から排出される。
【００３８】
泡生成部４は、器底壁１５と、器底壁１５に連続して上向に延びる器周囲壁（周囲壁）１６とで、上向きに開口する容器状に構成されており、先の区分壁１１と対向する器周囲壁１６の前半周面の複数個所に、ブラシ体２０に強い圧力を付加し、その圧力で発泡要素に強い圧力を作用させながら泡立てを行う泡立リブ１７が設けられている。この実施例では、器周囲壁１６の前半周面の６個所において、連続波型の泡立リブ１７を器周囲壁１６の開口縁から器底壁１５にわたって形成した。泡立リブ１７が形成された器底壁１５から器周囲壁１６にわたる部分が、後述するブラシ束６１と共同して泡を発生させる起泡部Ｆとして機能する。なお、泡立リブ１７と対向する器周囲壁１６の後半周面は平滑な２次元平面で形成されている。上記のように、泡立リブ１７は上下方向に連続する断面が山形のリブで形成するが、上下方向に断続する断面が山形のリブで形成してあってもよい。
【００３９】
スタンド５は泡生成部４の下方からホルダー３の下方にわたって連出されて、前後に長い楕円形の伏皿状に形成されており、先に説明した排液口１４と対向するスタンド５の壁面に、後述する化粧カバー８０を収納保管する円形のカバー収納部１８が設けられている（図１参照）。なお、楕円形のスタンド５の後端は、ブラシ支持具１０の真下に位置している。このように、スタンド５を泡生成部４の下方からホルダー３の下方にわたって、前後に長く形成することにより、泡立容器１とホルダー３に装着した撹拌体２を安定した状態で支持でき、泡立器の全体の印象を優美でありながらシンプルなものとすることができる。
【００４０】
図４および図５に示すように撹拌体２は、泡生成部４に収容した発泡要素を撹拌するブラシ体２０と、ブラシ体２０を支持する上下に長い本体ケース２１と、本体ケース２１の内部に設けられてブラシ体２０を駆動するブラシ駆動構造などで構成する。本体ケース２１はグリップを兼ねており、上半の上ケース２２と、上ケース２２に対して着脱される有底筒状の下ケース２３と、上ケース２２の上端に固定されるエンドカバー２４とで構成されている。上ケース２２の右側面にはスイッチ凹部２５が凹み形成されており、その下部にモーター２８への給電状態を切換えるメインスイッチ（スイッチ）２６が設けられている。
【００４１】
図４に示すように、本体ケース２１の内部には内フレーム２７が収容されており、この内フレーム２７にモーター２８、電池２９、起振構造、およびモーター２８の回転動力を減速した状態で出力する伝動構造などが組込まれている。ブラシ駆動構造は、モーター２８と伝動構造と起振構造で構成される。図５に示すように、モーター２８は、本体ケース２１の上下方向の中心軸Ｑより肩部３４の側へ偏寄した位置に配置されている。符号３０は撹拌体２の運転モードに応じて発光表示するＬＥＤ灯である。図示していないが、スイッチ凹部２５と正対する上ケース２２の内部には、モーター２８および第１、第２の振動モーター５１・５２の駆動状態を制御する制御基板が配置されている。該制御基板は、内フレーム２７に固定されている。
【００４２】
上ケース２２は前後に長い楕円筒状に形成されており、ケース上端における楕円の長軸寸法は、ケース下端における楕円の長軸寸法より大きく設定されており、上ケース２２の全体が上広がり筒状に形成されている。図６に示すようにエンドカバー２４は上ケース２２の上開口を塞ぐ状態で後述するシール蓋４３にビス３２で締結されており、その上面にブラシ体２０を連結するためのボス壁３３が膨出形成され、ボス壁３３の前側下縁に沿って三日月状の肩部３４が前向きに張出されている。図１に示すように、本体ケース２１をホルダー３に装着して撹拌姿勢に保持した状態において、本体ケース２１の周面はホルダー底壁８およびホルダー側壁９で受止め支持されており、同時に肩部３４が先の規制部１３で受止められて位置決めされている。このように、ホルダー３に装着した撹拌体２を泡生成部４に対して位置決めすることにより、起泡部Ｆの器底壁１５および器周囲壁１６に接触したブラシ束６１の弾性変形量を常に一定にして均一化できる。これにより、撹拌体２をホルダー３に装着した状態において、ブラシ束６１が過剰に変形されて劣化するのを防止できる。装着状態における撹拌体２の重量の大半は、肩部３４と接合する規制部１３で受止められる。
【００４３】
図６に示すように、モーター２８の回転動力は、その出力軸に固定した原動ギヤ３５と、第１減速ギヤ３６と、第２減速ギヤ３７と、終段ギヤ３８とからなる伝動構造で減速されて、終段ギヤ３８に固定した駆動軸３９から出力される。第１減速ギヤ３６と第２減速ギヤ３７は、それぞれ大径ギヤと小径ギヤを一体に備えており、第１中間軸４０と第２中間軸４１で回転自在に支持されている。第１中間軸４０は、内フレーム２７と、同フレーム２７の上端に固定したギヤフレーム４２とで軸支されており、第２中間軸４１は、ギヤフレーム４２と、上ケース２２の上開口を塞ぐシール蓋４３とで軸支されている。駆動軸３９は、シール蓋４３に組付けたベアリング４４で軸支されて、その上部がボス壁３３の中央に設けた連結穴４５に露出されている。図１１に示すように、駆動軸３９の上端には断面が六角形の駆動ピース４６が固定されている。駆動軸３９の基端は、シール蓋４３に装着した防水シール４７で封止されており、さらに、シール蓋４３と上ケース２２の接合面がＯリングで封止されている。従って、洗浄剤や泡、あるいは水が連結穴４５からシール蓋４３の内部に浸入することはない。ギヤフレーム４２とシール蓋４３は、複数個のビス４８で上ケース２２に締結されている。
【００４４】
起振構造は、前後方向の振動を発生する第１振動モーター５１と、上下方向の振動を発生する第２振動モーター５２とで構成されており、それぞれモーター２８の後側の上下に配置されている。第１振動モーター５１は、シリンダー型のモーター５３と偏心錘５４とで構成されており、第２振動モーター５２は、コイン型のモーター５５と偏心錘５６とを円盤状のケースに封入して構成されている。両振動モーター５１・５２を同時に駆動することにより、ブラシ体２０を前後および上下に振動させることができる。
【００４５】
図７においてブラシ体２０は、ブラシベース６０と、ブラシベース６０に支持された一群のブラシ毛からなるブラシ束６１を備えている。ブラシベース６０は、ブラシ束６１を固定保持する丸筒状のブラシ支持体６２と、ブラシ支持体６２で上下スライド自在に支持した調整リング６３と、ブラシ支持体６２の下面中央に突設した継手体６４とを備えている。調整リング６３は、ブラシ支持体６２の周面を覆う通常位置（図７に示す状態）と、ブラシ支持体６２の上端寄りまでスライド操作されて、ブラシ束６１の中途部を絞る縮径位置（図９に示す状態）とにスライド操作できる。継手体６４は、ブラシ体２０をブラシ支持具１０に係合装着するための装着構造９３を兼ねている。
【００４６】
調整リング６３を上下スライドのみ可能に案内するために、図８に示すようにブラシ支持体６２および調整リング６３の対向周面のそれぞれに平坦なスライド面６５を設け、スライド面６５の中央にガイドリブ６６とスライド溝６７を設けている。さらに、調整リング６３を通常位置と縮径位置において位置保持するために、スライド面６５から位相が９０度ずれた位置のブラシ支持体６２の周面の上下と、調整リング６３の内周面の下端とに係合リブ６８・６９を設けている。図１１に示すように、継手体６４は、回転力を受ける３個の受動壁７０と、駆動ピース４６に係合する３個の弾性腕７１とを交互に配置して六角筒状に形成されており、各弾性腕７１の内面の下端寄りに係合片７２が突設されている。
【００４７】
ブラシ束６１は、繊維径が５０〜７０μｍの合成繊維の一群を断面円形に束ねて、その下部を金属板製の保持リング７５で固定して構成されており、保持リング７５をブラシ支持体６２の筒壁の内面に嵌込んで接着固定することにより、ブラシ支持体６２と一体化されている。ブラシ束６１は、保持リング７５の上縁から上方へ延びる棒状のブラシ軸部７６と、ブラシ軸部７６の先端に形成される外突湾曲状のブラシ先端部７７と、ブラシ先端部７７の中央に凹み形成される保持凹部７８とを備えている。この実施例においては、ブラシ束６１をブラシベース６０の側からブラシ先端部７７へ向かって上広がり状に形成して、ブラシ軸部７６を逆円錐台状に形成し、ブラシ先端部７７を部分球面状に形成した。また、保持凹部７８は部分球面状の凹曲面で形成して、その内部に洗顔剤などの発泡剤を保持できるようにした。ブラシ軸部７６は、より多くの泡や洗浄剤を含むことに役立っており、ブラシ先端部７７は洗浄剤を効果的に泡立てることに役立っている。
【００４８】
ブラシ体２０を構成するブラシベース６０およびブラシ束６１の、各部の寸法関係は以下に説明するように設定することが好ましい。図７に示すように、ブラシベース６０の直径（横幅）をＤとし、ブラシ束６１のブラシベース６０からの突出寸法をＨとするとき、  ブラシベースの横幅Ｄとブラシ束の突出寸法Ｈとが、不等式（Ｄ／２＜Ｈ）を満足するように設定する。後述するように、洗顔を行う場合には、ブラシ軸部７６の軸周面を顔肌にあてがった状態で洗浄するが、上記のように、ブラシ束６１のブラシベース６０からの突出寸法Ｈを大きくすると、顔肌をブラシ束６１で洗浄するときのブラシ軸部７６の腰の強さを弱くできるので、ブラシ軸部７６の顔肌に対する接触感をソフトで滑らかなものとすることができる。また、上下に長いブラシ束６１により多くの泡を含ませて、ブラシ軸部７６と顔肌の接触を滑らかなものとして、顔肌がダメージを受けるのを防止できる。
【００４９】
また、ブラシベース６０の横幅をＤとし、ブラシ束６１のブラシベース６０からの突出寸法をＨとするとき、ブラシベース６０の横幅Ｄと、ブラシ束６１の突出寸法Ｈとが、不等式（Ｄ＜Ｈ）を満足するように設定する。こうしたブラシ体２０によれば、ブラシ束６１のブラシベース６０からの突出寸法Ｈをさらに大きくすることができる。従って、ブラシ軸部７６の顔肌に対する接触感をさらにソフトで滑らかなものとすることができ、上下に長いブラシ束６１にさらに多くの泡を含ませて、ブラシ軸部７６と顔肌の接触を滑らかなものとすることができる。
【００５０】
ブラシ束６１に関しては、ブラシベース６０の直径（横幅）をＤとし、ブラシ軸部７６の上端における直径（横幅）をＤ１とするとき、ブラシベース６０の直径（横幅）Ｄと、ブラシ軸部７６の直径（横幅）Ｄ１とが、不等式（Ｄ＜Ｄ１）を満足するように設定する。このように、ブラシ軸部７６を逆円錐台状に形成し、ブラシ軸部７６とブラシ先端部７７との境界付近の直径が大きくなるので、泡立時における周速度を大きくして、泡を効果的に生成できる。また、ブラシ先端部７７が部分球面状に形成してあるので、泡立時の器底壁１５および器周囲壁１６とブラシ先端部７７の接触面積を大きくして、泡をさらに効果的に生成できる。
【００５１】
上記のように構成したブラシ体２０は、図６に示すように、ブラシベース６０の継手体６４を駆動ピース４６に連結して、ブラシ体２０を本体ケース２１と一体化して使用する。ブラシ体２０を駆動軸３９に連結した状態においては、各弾性腕７１の係合片７２が駆動ピース４６の下端面に係合して、ブラシ体２０が駆動軸３９から分離するのを防止している。上記とは異なり、ブラシ体２０を駆動軸３９から取り外して、ブラシベース６０を片手で持った状態で、ブラシ体２０を単体で使用することができる。このように、単独で使用する際のブラシ体２０の外観上の体裁を向上し、さらに、ブラシベース６０の下面に突出する継手体６４を保護するために、ブラシベース６０の下面に化粧カバー８０を着脱自在に装着している。ブラシ体２０を駆動軸３９から取り外すことができる状態、つまり、ブラシ体２０を本体ケース２１から取り外すことができる状態は、撹拌体２の本体ケース２１をホルダー３から取り外した取り外し姿勢、つまり泡立容器１の泡生成部４の空間を開放した開放状態となっているときである。泡生成部４にブラシ体２０が位置している撹拌状態のときは、ブラシ体２０が泡生成部４の器周囲壁１６に移動規制されており、ブラシ体２０を本体ケース２１から取り外すことができないよう構成されている。
【００５２】
上記のように、開放状態において撹拌体２のブラシ体２０を本体ケース２１に対して着脱可能に連結すると、ブラシ体２０を本体ケース２１から取外した状態で単独で使用できる。従って、ブラシ体２０ですくい取った泡をていねいに肌面に塗付することができる。泡を塗付するときは、本体ケース２１に比べて軽量のブラシ体２０のみを保持すればよいので、持ち重りすることもなくていねいに泡を塗付できる。また、ブラシ体２０を肌面に接触させてなでつけることにより、ユーザーの好みに合った洗浄状態で肌面を積極的に洗浄できるうえ、泡を塗付するときと同様に持ち重りすることもなく肌洗浄を行える。肌洗浄時に電力を消費することもない。加えて、ブラシ体２０を水洗い洗浄するときに、ブラシ体２０の隅々までていねいに洗浄して泡を確実に洗い流すことができる利点もある。
【００５３】
図７において化粧カバー８０は、上向きに開口する円形容器状のカバー本体８１と、カバー本体８１の内面中央に設けた装着部８２と、開口周縁に張出し形成した舌片状の指掛片８３とを一体に備えたプラスチック成型品からなる。装着部８２は、ブラシ支持体６２の継手体６４に対応して六角筒状に形成してあり、装着部８２を継手体６４に外嵌係合することにより、化粧カバー８０をブラシ支持体６２と一体化して、継手体６４（装着構造９３）の外面をカバー本体８１で覆い隠すことができる。この状態のブラシベース６０を片手で持って、ブラシ体２０を使用することができる。
【００５４】
上記のように、ブラシ体２０を本体ケース２１から取外して、化粧カバー８０で装着構造９３の外面を覆うようにすると、ブラシ体２０を本体ケース２１から分離して使用するときの外観を化粧カバー８０で整えることができる。また、装着構造９３を化粧カバー８０で覆うので、ブラシベース６０を片手で握ってブラシ体２０を使用するときに、手指が装着構造９３に当たるのを防止できる。さらに、装着構造９３を兼ねる継手体６４に異物が付着するのを防止して、継手体６４と駆動ピース４６との接続を常に適正に行うことができる。
【００５５】
化粧カバー８０をブラシ体２０に装着した状態における指掛片８３は、ブラシベース６０と化粧カバー８０の接合面の外方へ突出しているので、指掛片８３に指先をかけた状態で化粧カバー８０を取外し操作することにより、化粧カバー８０をブラシ支持体６２から簡便に分離できる。また、ブラシベース６０をつかんだ手指を指掛片８３の周縁で受止めて、手指が滑るのを防止できる。指掛片８３には吊掛穴８４が形成されている。化粧カバー８０のカバー本体８１は、水または湯などの発泡液の計量容器を兼ねており、その内面には計量表示が設けられている。詳しくは、この実施例における計量容器は六角筒状の装着部８２であって、その筒壁の外周面に計量表示を印刷し、あるいは筒壁の外周面に形成した凹リブ状や凸リブ状で計量表示を形成している。従って、計量表示の周囲をカバー本体８１で覆って保護することができる。なお、より多くの水または湯を計量する必要がある場合には、カバー本体８１を計量容器とすることができ、あるいは、カバー本体８１と装着部８２の両者を計量容器とすることができる。
【００５６】
以上のように構成した泡立器を用いて洗顔を行う場合について、泡立容器１と撹拌体２による泡立作用の詳細と、ブラシ体２０による肌洗浄作用の詳細を以下に説明する。まず、ブラシ体２０を駆動軸３９に連結し、クリーム状の適量の洗顔用の洗浄剤を保持凹部７８に付着させて、図１０に示すように本体ケース２１をホルダー３に装着したのち、ブラシ体２０に適量の水または湯を含浸させる。この時、化粧カバー８０のカバー本体８１で水または湯を計量することにより、洗浄剤に対する水または湯を過不足なくブラシ体２０に含ませることができる。給水後の化粧カバー８０は、その開口面が上向きになる状態でカバー収納部１８に収納保管する。この状態の化粧カバー８０が、排液口１４から排出されて落下する水滴を受止める水受９４を兼ねている。本体ケース２１をホルダー３に装着した状態において、モーター２８は本体ケース２１の中心軸Ｑより肩部３４の側へ偏寄した位置に位置している。そのため、ホルダー３で支持された本体ケース２１の重心をホルダー底壁８に近い側に位置させて、撹拌体２の全体を安定した状態で支持することができる。なお、保持凹部７８を備えていないブラシ体２０の場合には、部分球面上のブラシ先端部７７に洗浄剤を付着させるとよい。
【００５７】
図１に示すように、ホルダー３に装着した本体ケース２１は、その肩部３４が規制部１３で受止められて斜め下向きの横臥姿勢で位置決めされる。そのため、ブラシ体２０の回転中心軸Ｐは、泡生成部４の外周側から容器中央へ向かって下り傾斜している。また、ブラシ束６１は器底壁１５から器周囲壁１６にわたる起泡部Ｆに接触して、その先端が一定量だけ弾性変形している。この状態でメインスイッチ２６をオン操作すると、図１２に示すように、モーター２８が起動して、その回転動力が伝動構造で減速されたのちブラシ体２０に伝動される。このときのモーター２８は、低速回転（５０００ｒｐｍ）するように設定されており、モーター２８が起動してから１分が経過するまで、その状態を維持する。そして、低速回転時間が１分に達するとモーター２８は増速されて高速回転（１００００ｒｐｍ）する。さらに、高速回転モードに移行して１分が経過すると、モーター２８を停止させて泡立モードを終了する。なお、モーター２８が低速で駆動されているときの駆動軸３９およびブラシ体２０の駆動回転数は１５０ｒｐｍであり、モーター２８が高速で駆動されているときの駆動軸３９およびブラシ体２０の駆動回転数は３００ｒｐｍである。
【００５８】
泡立モードが終了したら、本体ケース２１をホルダー３から取外す。この時、図１０に示すように、ホルダー３に装着した状態の本体ケース２１のグリップ遊端側が、ホルダー３の突端から突出しているので、突出するケース部分を手掛かりにして本体ケース２１を容易にホルダー３から取外すことができる。ホルダー３から分離した状態のブラシ体２０のブラシ束６１には生成した大量の泡が保持されている。とくにブラシ軸部７６は多くの泡を含んで膨らんでおり、さらにブラシ軸部７６やブラシ先端部７７の周面には肌理細かな弾力に富む泡が付着している。従って、撹拌体２をホルダー３から分離したのち、余分な泡を器周囲壁１６の開口縁でしごいてブラシ体２０の外形を整え、ブラシ体２０に保持されている泡を顔肌や肌面に直接塗付することができる。ブラシ体２０に含まれる泡の残量が少なくなってきたら、泡生成部４内の泡塊をブラシ体２０で掬いとって、頬回り、額、あご、鼻などの顔肌に塗付する。
【００５９】
上記の状態で、ブラシ体２０のブラシ軸部７６の軸周面（ブラシ束６１の周側面）を洗浄すべき顔肌にあてがい、メインスイッチ２６をオン操作すると、第１振動モーター５１と第２振動モーター５２が起動して、本体ケース２１およびブラシ体２０を、前後を含む全周囲方向へ振動させて、肌洗浄モードに移行する。これにより、顔肌に付着している皮脂、古い角質、あるいは毛穴に入込んでいる汚れや化粧料などを、肌を傷めることなく洗い落すことができる。肌洗浄モードを開始してから１分が経過すると、第１振動モーター５１と第２振動モーター５２を停止させて肌洗浄モードを終了するので、それまでの間に頬回りや額などをブラシ軸部７６で洗浄する。最後に、本体ケース２１をホルダー３に再装着して、水または湯を使用して顔肌に付着している泡を洗い流し、水気を取り除いた状態で化粧水などを顔肌に塗付して洗顔を終了する。洗浄時には、ブラシ体２０の振動作用によって、顔肌をマッサージできるので血行を促進できる効果もある。なお、肌洗浄モードでは、起振構造でブラシ体２０を振動させたが、必ずしもその必要はない。例えば、肌洗浄モード時に、ブラシ体２０を再び回転駆動して顔肌の洗浄を行うことができる。その場合のブラシ体２０の回転速度は、泡立モード時のブラシ体２０の回転速度よりさらに小さな回転速度で回転駆動して、顔肌に対する刺激を小さくすることが好ましい。また、肌洗浄モード時のブラシ体２０の駆動時間は１分前後とすることが好ましい。より強い刺激を与えた状態で肌洗浄を行う必要がある場合には、ブラシ体２０を起振構造で振動させ、さらにブラシ体２０を回転駆動した状態で肌洗浄を行うことができる。
【００６０】
洗顔が終了したら、本体ケース２１から取外したブラシ体２０と泡立容器１を水洗いし、泡立容器１およびブラシ体２０に付着している泡を洗い流して水切りする。次に、図１３に示すように、ブラシ体２０の継手体６４を泡立容器１のブラシ支持具１０に係合して、ブラシ束６１が下向きになる状態でブラシ体２０を泡立容器１に固定し、ブラシ束６１を乾燥させその状態のままで保管する。本体ケース２１はホルダー３に装着してもよいし、泡立容器１から分離した状態で保管してもよい。なお、泡立モードが終了したのち、一定時間が経過した時点で自動的に肌洗浄モードに移行して、第１振動モーター５１と第２振動モーター５２を起動して肌洗浄を行い、さらに一定時間が経過したのちに両モーター５１・５２を停止させて自動的に肌洗浄モードを終了することができる。
【００６１】
洗顔時における泡立器の使用法の概略は以上のとおりであり、本発明に係る撹拌体では、ブラシ体２０のブラシ軸部７６の軸周面を顔肌にあてがった状態で、ブラシ体２０を前後方向を含む全周方向へ振動させて、洗浄およびマッサージを行う点に特徴を有する。このように、ブラシ軸部７６の軸周面を顔肌にあてがって顔肌を洗浄すると、顔肌がブラシで擦られるのを防止しながら洗顔できるので、ブラシ体２０を使用して洗顔するときに肌が赤くなり、あるいは肌がひりひりするなどのダメージを顔肌に与えることがない。なお、円盤状に形成したブラシ束の平坦なブラシ先端を顔肌にあてがって、ブラシ体を回転駆動しながら顔肌を洗浄する実験を行ったが、ブラシ体のあてがい方によっては、顔肌が過剰に擦られて、先のような肌ダメージを与えてしまうことが確認された。また、ブラシ体を回転駆動しながら顔肌を洗浄する過程では、円盤形のブラシ束の回転中央に位置する毛束が、棒状にかたまった状態で肌面に押付けられているように感じられるため、電動洗顔ブラシの使用方法が不適切であると、先のような肌ダメージをひき起こしやすいことが予想される。
【００６２】
撹拌体２を泡立モードで作動させる状態において、ブラシ体２０の回転中心軸Ｐは図１４のように下り傾斜して、そのブラシ束６１の先端が起泡部Ｆに臨む器周囲壁１６と器底壁１５とに同時に接触して、ブラシ先端が上向きに弾性変形している。また、泡生成部４のホルダー３側の器底壁１５には、図１４に矢印で示す範囲に、器底壁１５に連続して起泡部Ｆへ向かって下り傾斜する泡還流壁８８が設けられている。さらに、起泡部Ｆに臨む器周囲壁１６と器底壁１５に接触しているブラシ体２０は、泡生成部４の左右中央に保持されており、しかも、断面円形に形成したブラシ束６１の半径が、凹曲面状の器底壁１５の湾曲面の曲率半径より小さく設定されているため、ブラシ束６１の右半周面と器周囲壁１６との間に、空気の導入を促す空気導入隙間８９が形成される（図１５参照）。この状態のブラシ体２０を、図１５に矢印Ｓで示すように、起泡部Ｆと正対する側から見て時計回転方向へ回転駆動することにより、ブラシ束６１に圧力が作用する状態で発泡要素を発泡させることができ、さらに、ブラシ先端部７７とブラシ軸部７６の一部を泡立リブ１７に衝突させて、泡塊を繰返し撹拌することができる。
【００６３】
詳しくは、ブラシ先端部７７は起泡部Ｆに臨んで隣接する泡立リブ１７を、弾性変形しながら次々に乗り越え、その間にブラシ束６１の先端を大きく弾性変形させ、しかも泡立リブ１７を乗越えるごとにブラシ束６１を躍動させて、発泡要素に強い圧力を加えながら発泡要素をさらに効果的に発泡できる。さらに、ブラシ束６１が弾性変形する間に、周囲の空気を取込みながら泡塊を生成することができる。従って、泡立リブ１７を備えていない泡生成部４に比べて、泡塊の生成と泡の細分化とをさらに効果的に行うことができる。このとき、図１５に向かって右半分側のブラシの周囲においては、ブラシ束６１に付着した泡が、泡立リブ１７や器周囲壁１６および器底壁１５に押付けられて揺さぶられ、空気が強制的に混入される。また、図１５に向かって左半分側のブラシの周囲においては、生成された泡塊がブラシ体２０の回転力を受けて周囲に跳ね飛ばされ、起泡部Ｆに臨む器周囲壁１６で受止められて、同壁１６に沿って器底壁１５へと流れ落ちる。このように、左半分側の器周囲壁１６は泡流下壁９０として機能している。
【００６４】
泡立モードにおいては、起泡部Ｆに臨む器底壁１５の断面形状が、凹曲面状の湾曲面で形成してあるので、起泡部Ｆと接触するブラシ束６１の周面と器底壁１５との間に形成される空気導入隙間８９の周辺の空気を、ブラシ束６１で巻込んで起泡部Ｆへと送り込むことができる。つまり、空気導入隙間８９を設けることで、ブラシ束６１で生成された泡塊と空気とを空気導入隙間８９から同時に取込んで、ブラシ束６１と器底壁１５の間に巻込むことができるので、泡塊の生成と泡の細分化とをさらに効果的に行うことができる。
【００６５】
さらに、断面円形に形成したブラシ束６１の半径が、凹曲面状の器底壁１５の湾曲面の曲率半径より小さく設定してあるので、器周囲壁１６と、ブラシ束６１の左右周面との間に自由空間が形成され、自由空間を通過するブラシ束６１によって空気を効率よく巻込むことができるので、泡塊と空気の撹拌とを繰返し行って、弾力に富む肌理の細かなムース状の泡塊を生成することができる。
【００６６】
泡塊の生成量が増加するのに伴って、泡塊の一部は図１５に向かって右半分側の空気導入隙間８９を介して泡還流壁８８の側へ流動する。しかし、泡還流壁８８を含む器底壁１５の全体が、起泡部Ｆへ向かって下り傾斜されているため、ブラシ体２０と泡還流壁８８の間に位置する泡塊は、ブラシ束６１の先端へ向かって流動し、再びブラシ束６１で撹拌される。このように、泡を生成しながら泡塊をブラシ束６１で繰返し撹拌することにより、泡径が小さく肌理の細かな泡塊を効率よく生成できる。従って、回転ブラシを一定の速度で回転駆動して泡立を行う従来の泡発生装置に比べて、泡の生成と泡径の微細化とを効果的に行って、ムース状の泡塊を効率よく生成できる。
【００６７】
先に説明したように、泡立モードの前半ではモーター２８を低速回転させ、泡立モードの後半ではモーター２８を高速回転させる。このように、モーター２８を低速回転させると、ブラシ束６１の保持凹部７８に付着させた洗浄剤と、ブラシ軸部７６に含ませた水とをよくなじませて、洗浄剤と水をブラシ軸部７６およびブラシ先端部７７に均等に含ませて泡をむらなく生成することができる。また、モーター２８を高速回転させることにより、より多くの空気を取込むことができるので泡塊を効果的に生成できる。さらに、泡塊をブラシ束６１で繰返し撹拌して、生成された泡の泡径を小さくし、その肌理を細かくすることができる。
【００６８】
上記の実施例１では、泡立モードにおいてメインスイッチ２６をオン操作してブラシ体２０を低速および高速で回転駆動して泡立を行い、所定時間が経過したことをタイマーで検知して泡立てモードを終了し、再度メインスイッチ２６をオン操作して肌洗浄モードへ移行して起振構造を作動させるようにしたがその必要はない。例えば、メインスイッチ２６のオン操作でブラシ体２０を一定速度で回転駆動して泡立モードとしたのち、ユーザーが泡立ち具合を目視で確認し、十分な量の泡塊が生成されたと判断した時点で、撹拌体２をホルダー３から取外し、ブラシ体２０を回転駆動した状態のままで、顔肌にブラシ束６１の周面をあてがって、泡塊の塗付と肌洗浄を並行して行うことができる。その場合には、タイマーおよび起振構造を省略することができる。なお、十分な量の泡塊が生成されたと判断した時点で、ユーザーがメインスイッチ２６を操作してモーター２８を停止し、その状態で撹拌体２をホルダー３から取外して、泡塊を顔肌に塗付することができる。泡塊を塗付したのち、再度メインスイッチ２６を操作して、モーター２８または起振構造を起動させた状態で顔肌の洗浄を行うようにしてもよい。
【００６９】
実施例１の泡立器は、以下の態様で実施することができる。  
泡生成部４を備えた泡立容器１と、発泡要素を撹拌して泡を生成する撹拌体２と、撹拌体２を撹拌姿勢で支持するホルダー３とを備えており、
撹拌体２は、発泡要素を撹拌するブラシ体２０と、グリップを兼ねてブラシ体２０を支持する本体ケース２１と、本体ケース２１に設けられてブラシ体２０を駆動するブラシ駆動構造とを含み、
撹拌体２が泡立容器１に対して着脱可能に装着してあることを特徴とする泡立器。
こうした泡立器によれば、泡立容器１に装着した撹拌体２のブラシ体２０で発泡要素を撹拌することにより、発泡要素を効果的に発泡させてムース状の泡塊を効率よく生成できる。また、撹拌体２を泡立容器１から取外して、そのブラシ体２０で泡塊を必要個所に塗付できるので、泡立後の泡塊の塗付作業を簡便に、しかも速やかに行うことができる。
【００７０】
（実施例２）  図１６は、ブラシ構造を変更した実施例２に係るブラシ体２０を示す。そこでは、実施例１のブラシ体と同様に、ブラシ束６１のブラシ軸部７６を逆円錐台状に形成するが、ブラシ先端の全体を部分球面状の凹曲面で形成して保持凹部７８とする点が異なる。この場合のブラシ先端部７７は、ブラシ軸部７６の上端の円弧縁となる。上記のように、保持凹部７８の容積を大きく設定すると、保持凹部７８の内部に保持される発泡剤や発泡要素の保持量を多様に変更できるので、発泡剤や発泡要素のメーカーの違いや、発泡特性の違いに対応することができる。また、泡立時にはブラシ先端部７７が弾性変形して、その内部に保持した発泡剤や発泡要素を包込んだ状態で、揺さぶりながら泡立てリブ１７に衝突させるので、モーター２８が低速回転される泡立モードにおいて泡を速やかに生成できる。他は実施例１と同じであるので、同じ部材に同じ符号を付して、その説明を省略する。以下の実施例においても同じとする。
【００７１】
（実施例３）  図１７は、泡生成部４の容器構造を変更した実施例３に係る泡立容器１を示す。そこでは、泡生成部４の泡還流壁８８および器底壁１５を滑らかに湾曲する凹曲面状に形成し、泡還流壁８８を含む器底壁１５の全体を、起泡部Ｆへ向かって下り傾斜させるようにした。泡還流壁８８の傾斜度合はブラシ体２０の回転中心軸Ｐの傾動度合と概ね一致させた。こうした泡生成部４によれば、泡還流壁８８の側へ流動してきた泡塊や、器底壁１５に滞留しようとする泡塊を起泡部Ｆへ向かって確実に流動させて、繰り返しブラシ束６１で撹拌できるので、図１５で説明した泡立容器１に比べて、泡径が小さく肌理の細かなムース状の泡塊をさらに効率よく生成できる。
【００７２】
（実施例４）  図１８は、泡生成部４の容器構造を変更した実施例４に係る泡立容器１を示す。そこでは、泡生成部４の垂直方向の器中心軸Ｊと、ブラシ体２０の中心を通る垂直中心軸Ｋとを想定するとき、本体ケース２１をホルダー３に装着した状態において、起泡部Ｆと正対する側からみて、垂直中心軸Ｋが器中心軸Ｊの左側に偏寄するようにした。つまり、ホルダー３の長手方向中心軸を器中心軸Ｊよりも左側へずらすようにした。また、ブラシ体２０の回転駆動方向を、図１８に矢印Ｓで示すように、起泡部Ｆと正対する側から見て時計回転方向へ回転駆動して、泡生成部４の右半側に空気の導入を促す空気導入隙間８９が形成されるようにした。
【００７３】
より詳しくは、器中心軸Ｊを通る前後方向の垂直平面を境にして、ブラシ体２０の垂直中心軸Ｋが含まれる偏寄半部９６と、ブラシ体２０の垂直中心軸Ｋが含まれていない残存半部９７とを想定するとき、ブラシ体２０の回転駆動方向を、偏寄半部９６の側からブラシ体２０の周面の上頂部を経由して残存半部９７の側へ向かう向きに設定して、残存半部９７の側に空気の導入を促す空気導入隙間８９を形成するようにした。
【００７４】
上記のように、残存半部９７の側に空気の導入を促す空気導入隙間８９を形成すると、ブラシ束６１で生成された泡塊と空気とを空気導入隙間８９から同時に取込んで、ブラシ束６１と器底壁１５の間に巻込むことができる。また、垂直中心軸Ｋを偏寄させた分だけ、偏寄半部９６の側の器周囲壁１６とブラシ束６１の周面との隙間が小さくなるので、ブラシ束６１から跳ね飛ばされた泡塊を泡流下壁９０の低い位置で受止めて、器底壁１５側へ速やかに流下させることができる。従って、図１５で説明した泡立容器１に比べて、ブラシ束６１による泡塊の撹拌頻度を高めて、肌理の細かなムース状の泡塊をさらに効率よく生成できる。
【００７５】
（実施例５）  図１９は、泡生成部４の容器構造を変更した実施例５に係る泡立容器１を示す。そこでは、実施例４の泡立容器と同様に、ブラシ体２０の垂直中心軸Ｋが泡生成部４の垂直方向の器中心軸Ｊの左側に偏寄するように、ホルダー３の長手方向中心軸を器中心軸Ｊよりも左側へずらすようにした。また、ブラシ体２０の回転駆動方向を、図１９に矢印Ｓで示すように、起泡部Ｆと正対する側から見て時計回転方向へ回転駆動して、泡生成部４の右半側に空気の導入を促す空気導入隙間８９が形成されるようにした。そのうえで、泡生成部４の偏寄半部９６の内隅に起泡部Ｆを配置し、偏寄半部９６における器周囲壁１６に、泡のせり上がりを規制する急傾斜の泡受壁９１を形成した。さらに、残存半部９７における器周囲壁１６から器底壁１５にわたって、起泡部Ｆへ向かって下り傾斜する泡戻し壁９２を形成した。
【００７６】
上記のように、偏寄半部９６の内隅に起泡部Ｆを配置すると、ブラシ束６１と器底壁１５および器周囲壁１６との周方向の接触長さを大きくできるので、泡塊の生成と泡塊の撹拌とをさらに効果的に行うことができる。また、残存半部９７の側に空気の導入を促す空気導入隙間８９が形成されるので、ブラシ束６１で生成された泡塊と空気とを空気導入隙間８９から同時に取込んで、ブラシ束６１と器底壁１５の間に巻込むことができる。さらに、偏寄半部９６の側に泡のせり上がりを規制する急傾斜の泡受壁９１を設け、残存半部９７の側の器周囲壁１６から器底壁１５にわたって、起泡部Ｆへ向かって下り傾斜する泡戻し壁９２を設けるので、ブラシ束６１から跳ね飛ばされた泡塊や、ブラシ束６１で生成された泡塊を、速やかに起泡部Ｆへ流下させて繰返しブラシ束６１で撹拌できる。従って、図１５で説明した泡立容器１に比べて、ブラシ束６１による泡塊の撹拌頻度を高めて、肌理の細かなムース状の泡塊をさらに効率よく生成できる。ブラシ束６１から跳ね飛ばされた泡塊が、泡受壁９１に沿ってせりあがって泡生成部４の外へはみ出ることもない。
【００７７】
（実施例６）  図２０は実施例６に係る泡立容器１を示す。そこでは、スタンド５の一部の構造を変更して、ホルダー３のブラシ支持具１０に吊下げ支持したブラシ体２０の下方に、ブラシ体２０から落下する水滴を受止めるブラシ水受１０１を設けるようにした。詳しくは、スタンド５の後部位置を、ホルダー３のブラシ支持具１０の真下より後方にまで延長して、ブラシ体２０と上下に正対するスタンド壁にブラシ水受１０１を凹み形成した。このように、ブラシ体２０の下方にブラシ水受１０１を設けると、ブラシ束６１から滴り落ちた水滴が、スタンド５の周囲に飛散するのを防止できる。また、ブラシ水受１０１をスタンド５と一体に形成するので、ブラシ水受１０１を設けることに伴うコスト増を回避できる。
【００７８】
（実施例７）  図２１は実施例７に係る泡立容器１を示す。そこでは、スタンド５の一部の構造を変更して、化粧カバー８０をブラシ水受１０１として利用できるようにした。そのために、ホルダー３のブラシ支持具１０と上下に対向するスタンド５にカバー収納部１８を設け、化粧カバー８０を、その開口面が上向きになる状態でカバー収納部１８に収容することにより、化粧カバー８０がブラシ水受１０１を兼ねるようにした。また、排液口１４と対向するスタンド５の壁面に、新たに水受９４を凹み形成して、排液口１４から滴り落ちる水を水受９４で受止められるようにした。
【００７９】
（実施例８）  図２２は実施例８に係る泡立容器１を示す。そこでは、排液口１４を省略して、撹拌体２から流れ落ちてホルダー３内に流下した水（液体）を、連通溝１２を利用して泡生成部４の内部空間へ流下できるようにした。そのために、実施例１で説明した連通溝１２より溝深さを大きくして、連通溝１２がホルダー３の内部空間の下端底面から、泡生成部４の内部空間へ向かって下り傾斜するようにした。この排水構造によれば、排液口１４がないので、ホルダー３内の水が滴り落ちることはなく、泡生成部４に戻して自然乾燥させることができる。また、水洗い直後の本体ケース２１がホルダー３の装着された場合にも、本体ケース２１から流落ちたすべての水を、容積の大きな泡生成部４で確実に受止めることができる。
【００８０】
（実施例９）  図２３はホルダー３の構造を変更した実施例９に係る泡立容器１を示す。そこでは、ホルダー３を泡立容器１とは別の独立した部材で構成して、ホルダー３に装着した撹拌体２のブラシ体２０を、泡立時に限って泡生成部４の内部に差込めるようにした。ホルダー３は、実施例１で説明したホルダー３と同じ構造のホルダー本体１０３と、ホルダー本体１０３を支持するホルダースタンド１０４とを一体に備えており、ホルダースタンド１０４の下部のスタンド台１０５にカバー収納部１８が形成されている。泡生成部４のスタンド５は、平面から見るときの泡生成部４の外郭線の範囲内に収まっている。泡立容器１の開口縁の後部には、ブラシ体２０を出し入れするための装着口１０６が斜めに形成されている。
【００８１】
泡立を行う場合には、図示していない専用の載置台に、ホルダー３と泡立容器１とを互いに隣接する状態で載置し、両者１・３を位置決め固定する。この状態で撹拌体２をホルダー本体１０３に装着し、モーター２８を起動することにより、ブラシ束６１の先端を起泡部Ｆに臨む器底壁１５と器周囲壁１６とに接触させて適度に弾性変形させた状態で泡立を行うことができる。
【００８２】
（実施例１０）  図２４はホルダー３の構造を変更した実施例１０に係る泡立容器１を示す。そこでは、泡立容器１の後部に、本体ケース２１の肩部３４を受止める規制部１３を斜め横向きに張出し形成し、その後端から上向きの支持壁１０９を連出し、支持壁１０９の上端に本体ケース２１の左右側面を抱持する弾性変形可能な抱持腕１１０を設けている。つまり、規制部１３と支持壁１０９と抱持腕１１０とでホルダー３を構成し、これらの各部材を泡立容器１と一体に形成した。撹拌体２は、ホルダー３で倒立姿勢に保持される本体ケース２１と、本体ケース２１の中心軸Ｑに対して斜めに傾斜する状態で支持されるブラシ体２０とを備えている。本体ケース２１をホルダー３に装着した状態では、ブラシ体２０の回転中心軸Ｐが起泡部Ｆへ向かって下り傾斜状に傾斜する。この実施例においては、本体ケース２１を起立させた状態において、ブラシ体２０が斜め上向きに突出するので、終段ギヤ３８と駆動軸３９に一対の傘歯車１１１・１１２を設けて、回転中心軸Ｐを傾斜させている。
【００８３】
（実施例１１）  図２５は本体ケース２１の構造を変更した実施例１１に係る撹拌体２を示す。そこでは、エンドカバー２４に三角形状のブラシ保持部１１３を設け、ブラシ保持部１１３の平坦周面にブラシ体２０を着脱するようにした。泡立容器１は、実施例１で説明した泡立容器１とほぼ同じであるが、起泡部Ｆのほとんどの部分が器底壁１５で占められる点が異なっている。本体ケース２１を起立させた状態においては、先のブラシ保持部１１３の平坦周面が後上がり傾斜状に傾斜しており、ブラシ体２０をブラシ保持部１１３の駆動軸３９に連結した状態では、ブラシ体２０の回転中心軸Ｐが平坦周面と直交する向きを指向する。そのため、本体ケース２１をホルダー３に装着した状態では、ブラシ体２０の回転中心軸Ｐが垂直になって、ブラシ束６１の先端が器底壁１５に接触して弾性変形する。そのために、終段ギヤ３８のギヤ軸１１４と駆動軸３９に一対の傘歯車１１１・１１２を設けて回転中心軸Ｐを傾斜させている。この実施例から理解できるように、起泡部Ｆは主に器底壁１５の側に設けてあってもよく、その場合には器底壁１５にリブ状あるいは独立した突起からなる泡立突起１４５の一群を設けることができる。泡立突起１４５に代えて、泡立凹部の一群が設けてあってもよい。
【００８４】
（実施例１２）  図２６はホルダー３の構造を変更した実施例１２に係る泡立容器１を示す。そこでは、泡立容器１の後部に、ボス１１６を一体に形成し、ボス１１６に形成した垂直の装着穴１１７にホルダー３を着脱自在に装着できるようにした。撹拌体２は実施例１で説明した撹拌体２と同じ構造であるが、本体ケース２１をホルダー３に装着した状態において、撹拌体２の全体が倒立姿勢で支持される点が異なっている。ホルダー３は、先の装着穴１１７に差込み係合される非円形断面の支軸１１８と、支軸１１８の上下中途部から前向きに突設されて本体ケース２１の肩部３４を受止める規制腕（規制部）１３と、支軸１１８の上端から前向きに連出されて、本体ケース２１の左右側面を抱持する弾性変形可能な抱持腕１１０を一体に備えている。泡立容器１は、泡生成部４と円盤状のスタンド５を備えており、器周囲壁１６の内面の全体にわたって泡立リブ１７が形成してある。支軸１１８を装着穴１１７に上方から差込み係合した状態では、支軸１１８の下端がスタンド５で受止められて、ホルダー３が泡立容器１で起立支持されている。器底壁１５には、リブ状あるいは独立した突起からなる泡立突起１４５の一群を設けることができる。
【００８５】
（実施例１３）  図２７は撹拌構造を変更した実施例１３に係る撹拌体２を示す。そこでは、継手体６４を一体に備えたブラシ台１２０を設け、継手体６４を駆動軸３９に連結することにより、ブラシ台１２０を回転中心軸Ｐの周りに回転駆動できるようにした。また、回転中心軸Ｐから偏寄するブラシ台１２０の両端寄りに２個のブラシ支軸１２１を設け、これらのブラシ支軸１２１にブラシ体２０を固定した。泡立容器１とホルダー３は、実施例１２で説明した泡立容器１およびホルダー３と同じ構造にした。器底壁１５には、リブ状あるいは独立した突起からなる泡立突起１４５の一群を設けることができる。
【００８６】
撹拌体２をホルダー３に装着した状態では、撹拌体２の全体が倒立姿勢に保持されて、ブラシ体２０のブラシ束６１の先端が泡立容器１の器底壁１５と接触して弾性変形している。この状態でモーター２８を起動すると、ブラシ台１２０が回転中心軸Ｐの周りに回転駆動されて、２個のブラシ体２０が主として器底壁１５に接触した状態で、ブラシ束６１の先端が泡立リブ１７を乗越えながら、複数の起泡部Ｆで同時に泡立を行うことができる。この実施例においては、２個のブラシ体２０の間の空間が空気導入隙間８９として機能する。
【００８７】
上記のように、２個のブラシ体２０をブラシ台１２０の回転中心軸Ｐに対して偏寄配置すると、泡塊を２個のブラシ体２０で同時に撹拌して、泡塊とブラシ体２０との接触機会を倍加できるので、泡の生成と泡の微細化に要する時間を短縮して、ムース状の泡塊をさらに効率よく生成できる。また、生成された泡塊が２個のブラシ体２０の間に溜まるので、泡塊が泡生成部４の１か所に偏った状態で溜まるので防止できる。
【００８８】
以上のように構成した泡立て器は、実施例１で説明した用法に従って、２個のブラシ体２０のブラシ軸部７６の軸周面を洗浄すべき顔肌に同時にあてがって、第１振動モーター５１と第２振動モーター５２を作動させた状態で、洗顔を行うことができる。また、洗顔を行う際に、モーター２８の回転動力でブラシ台１２０をゆっくりと回転駆動させるようにすると、２個のブラシ体２０の回転作用と、肌面を各ブラシ体２０でたたく作用とによって洗顔を行うことができる。従って、第１、第２の両振動モーター５１・５２を作動させて洗顔を行う場合に比べて、各ブラシ体２０がマッサージ効果を発揮しながら顔肌を洗顔することができる。
【００８９】
ちなみに、ブラシ体２０の直径に対して、泡生成部４の内直径が十分に大きく、１個のブラシ体２０の回転中心軸が器中心軸Ｊ上に位置している場合には、ブラシ束６１で生成されて跳飛ばされた泡塊が泡生成部４の内隅に溜まるので、泡塊をブラシ束６１で繰返し撹拌することができなくなり、泡を微細化するのに多くの時間が掛かってしまう。逆に、泡生成部４の内直径が、ブラシ体２０の直径よりわずかに大きい場合には、器周囲壁１６とブラシ体２０との間の隙間が小さくなるため、ブラシ束６１で生成された泡塊が先の隙間に充満して、空気を泡塊に取込むのが困難となるため、泡の生成と泡の微細化を効果的に行うのが困難となる。
【００９０】
（実施例１４）  図２８はブラシ駆動構造を変更した撹拌体２を示す。そこでは、ブラシ駆動構造を構成するモーター２８を省略し、その代わりに泡立容器１に手動駆動構造を設けて、本体ケース２１をホルダー３に装着する際に、本体ケース２１内のギヤ構造を手動駆動構造に連結できるようにした。手動駆動構造は、手回しハンドル１２４と、同ハンドル１２４で一対の傘歯車１２５・１２６を介して回転駆動される出力軸１２７とを備えており、出力軸１２７の上端に断面四角形の連結軸１２８が設けられている。出力軸１２７は、その連結軸１２８がホルダー底壁８に設けた軸通口１２９からホルダー３内に突出する状態で回転自在に支持されている。本体ケース２１側のギヤ構造は、先の連結軸１２８に着脱可能に連結される継手軸１３０と、継手軸１３０と増速ギヤ軸１３１との間に設けた一対の傘歯車１３２・１３３と、増速ギヤ軸１３１と駆動軸３９との間に設けた大径ギヤ１３４および小径ギヤ１３５とで構成する。撹拌体２の上ケース２２には、連結軸１２８の出入りを許す駆動穴１３６が開口されている。
【００９１】
泡立を行う場合には、本体ケース２１をホルダー３に装着して、継手軸１３０を連結軸１２８に連結する。この状態で泡立容器１と撹拌体２を片手で抑え保持し、手回しハンドル１２４を回転操作してブラシ体２０を回転駆動し、泡生成部４内で泡塊を生成する。この実施例における泡立器は、専ら泡立を行うために使用する。しかし、本体ケース２１の内部に第１、第２の振動モーター５１・５２のうち、少なくとも第１振動モーター５１を設ける場合には、泡立を行った後、撹拌体２を肌洗浄モードにして顔肌の洗浄を行うことができる。
【００９２】
（実施例１５）  図２９はブラシ駆動構造を変更した撹拌体２を示す。そこでは、ブラシ駆動構造を構成するモーター２８としてタービンを使用し、入口通路１３９に加圧水を供給してタービンを回転駆動できるようにしている。符号１４０は出口通路である。タービンの出力軸には原動ギヤ３５が固定してある。入口通路１３９に供給される加圧水としては、家庭用の水道水を利用することができる。
【００９３】
（実施例１６）  図３０は実施例１６に係る泡立器の縦断側面図である。そこでは、メインスイッチ２６と、電池２９と、制御基板などの電装品をスタンド５の内部に組付け、本体ケース２１とスタンド５との間にモーター２８用の給電リード１４２を設けるようにした。この実施例における給電リード１４２の長さは、肌洗浄を行う際に撹拌体２を自由に操作するのに充分な長さに設定してある。なお、スタンド５の内部に整流回路を配置しておいて、商用電源から供給される交流電流を直流に変換して、モーター２８や起振構造を駆動するように構成してあってもよい。
【００９４】
（実施例１７）  図３１は撹拌体２の支持構造を変更した実施例１７に係る泡立器を示す。そこでは、撹拌体２を泡立容器１に設けたホルダー３に対して支軸１４３で回動可能に連結した。詳しくは、本体ケース２１の肩部に左右一対のブラケット１４２を設け、このブラケット１４２を一対のホルダー３に組んだ水平の支軸１４３で回動可能に支持した。これにより、撹拌体２は支軸１４３を中心にして、実線で示すように、ブラシ体２０の先端が泡生成部４の内面壁に接触して弾性変形する撹拌姿勢と、想像線で示すように、ブラシ体２０が泡生成部４の外方へ退避する待機姿勢とに姿勢変更できるように支持される。本体ケース２１の内部には、モーター２８とモーター動力をブラシ体に伝動する伝動構造とが設けてある。また、泡立容器１のスタンド５の上面に、モーター２８への通電状態をオン・オフするスイッチ２６を配置し、スタンド５の内部にモーター２８の駆動電源となる電池２９を収容した。なお、電池２９とモーター２８とは、スイッチ２６と図示していないリード線を介して電気的に接続してある。
【００９５】
撹拌体２の本体ケース２１をホルダー３に対して泡生成部４側に回動させることで、撹拌姿勢とすることができ、また、撹拌体２の本体ケース２１をホルダー３に対して泡生成部４とは反対側に回動させることで、待機姿勢とすることができるが、撹拌姿勢のとき、必ずしもブラシ体２０の先端が泡生成部４の内面壁に接触して弾性変形する必要はない。ブラシ体２０の先端と泡生成部４の内面壁が近接対向する位置関係であってもよい。要するに撹拌体２を撹拌姿勢に保持した状態においては、泡生成部４にブラシ体２０が位置している撹拌状態となっていればよい。この撹拌状態では、泡立容器１の泡生成部４の空間がブラシ体２０で閉鎖され、さらにブラシ体２０の周囲空間が泡立容器１で閉鎖された状態となっている。一方、ブラシ体２０が泡生成部４の外方へ退避する待機姿勢では、泡立容器１の泡生成部４の空間を開放し、さらにブラシ体２０の周囲空間を開放した開放状態となっている。つまり、本実施例の泡立器では、撹拌体２の回動操作によって撹拌状態と開放状態に状態変更できるように構成されている。また後述するように撹拌体２のブラシ体２０が本体ケース２１に対して着脱可能に連結してある。
【００９６】
撹拌姿勢にした撹拌体２が、ブラシ体２０の回転反力を受けて待機姿勢に復帰するのを規制するために、ブラケット１４２とスタンド５との間にクリック機構（節度構造）を設けている。クリック機構は、ブラケット１４２の側に凹み形成したクリック凹部１４６と、スタンド５で上下スライド自在に案内支持されるクリックピン１４７と、クリックピン１４７を押し上げ付勢するクリックばね１４８とで構成する。クリックピン１４７がクリック凹部１４６と係合した状態では、撹拌体２にブラシ体２０の回転反力が作用したとしても、その回転モーメントをクリックピン１４７で受け止めることができるので、意図的に回動させない限り撹拌体２が待機姿勢へ向かって回動することはない。撹拌体２を待機姿勢へ戻す場合には、ユーザーが本体ケース２１を回動操作して、クリックピン１４７とクリック凹部１４６との係合を解除する。待機姿勢のときもクリックピン１４７がクリック凹部１４６ａと係合しているので、意図的に回動させない限り撹拌体２が撹拌姿勢へ向かって回動することはない。つまり、撹拌体２が撹拌姿勢、待機姿勢の両姿勢においてクリック機構で位置保持されている。この実施例から理解できるように、撹拌体２およびホルダー３は泡立容器１と一体化してあってもよく、撹拌体２を撹拌姿勢にした状態において、その回転中心軸Ｐが下り傾斜する構造であればよい。ブラシ体２０を駆動軸３９から取り外すことができる状態、つまり、ブラシ体２０を本体ケース２１から取り外すことができる状態は、泡立容器１の泡生成部４の空間を開放した開放状態となっているときである。泡生成部４にブラシ体２０が位置している撹拌状態のときは、ブラシ体２０が泡生成部４の器周囲壁１６に移動規制されており、ブラシ体２０を本体ケース２１から取り外すことができないよう構成されている。
【００９７】
泡立時には、ブラシ体２０および本体ケース２１を撹拌姿勢にした状態で、ブラシ体２０を回転駆動して泡および泡塊を生成する。泡立が終了したら、ブラシ体２０および本体ケース２１を待機姿勢に戻したのち、ブラシ体２０を本体ケース２１から取外す。必要に応じてブラシベース６０に化粧カバー８０を装着したのち、泡立容器１内の泡をブラシ体２０ですくい取って肌面に塗付する。泡生成部４に残った泡はブラシ体２０で繰返しすくい取って肌面に塗布する。このように、本体ケース２１から分離したブラシ体２０を使用して泡の塗付を行うと、ブラシ体２０に付着している泡をていねいに肌面に塗付することができる。泡を塗付するときは、本体ケース２１に比べて軽量のブラシ体２０のみを保持すればよいので、持ち重りすることもなくていねいに泡を塗付できる。また、ブラシ体２０を肌面に接触させてなでつけることにより、ユーザーの好みに合った洗浄状態で肌面を積極的に洗浄できるうえ、泡を塗付するときと同様に持ち重りすることもなく肌洗浄を行える。肌洗浄時に電力を消費することもない。さらに、ブラシ体２０を水洗い洗浄するときに、ブラシ体２０の隅々までていねいに洗浄して泡を確実に洗い流すことができる。泡立後に、ブラシ体２０および本体ケース２１を待機姿勢にした状態では、泡立容器１の開口側空間の全てを開放でき、さらにブラシ体２０の周囲空間を開放できるので、泡立容器１内の泡、およびブラシ体２０に付着している泡の全てを余すことなくすくいとって、肌面に塗付することができる。
【００９８】
このように、撹拌体２をホルダー３に対して支軸１４３を介して回動可能に連結した泡立器によれば、撹拌体２を回動操作することで、ブラシ体２０の先端を泡生成部４内に位置させることができる。また、泡生成後には逆方向に回動操作して待機姿勢とすることにより泡生成部４を簡単に開放状態とすることができる。この開放状態のときブラシ体２０の周囲空間も開放した状態となっており、その状態でブラシ体２０をしごきながら泡を取ることができる。ブラシ体２０の周囲空間が開放した状態となっていることにより、本体ケース２１からブラシ体２０を簡単に着脱でき、取り外したブラシ体２０で泡塊を必要個所に塗付できるので、泡立後の泡塊の塗付作業を簡便に、しかも速やかに行うことができる。このとき、支軸１４３によって少なくとも横方向（回動方向と直交する方向）にふらつかない待機姿勢となっているので、本体ケース２１からブラシ体２０を簡単に着脱できる。なお、待機姿勢のとき、その位置を保持できるクリック機構（節度構造）を設けて回動方向の移動規制を行う構造とすることがより好ましい。
【００９９】
実施例１から１７の泡立器は、以下の態様で実施することができる。
泡生成部４を備えた泡立容器１と、発泡要素を撹拌して泡を生成する撹拌体２とを備えており、
撹拌体２は、発泡要素を撹拌するブラシ体２０と、ブラシ体２０を支持する本体ケース２１と、本体ケース２１に設けられてブラシ体２０を駆動するブラシ駆動構造とを含み、
泡生成部４にブラシ体２０が位置している撹拌状態と、泡立容器１の泡生成部４の空間を開放し、さらにブラシ体２０の周囲空間を開放した開放状態とに状態変更できるように構成されており、
上記開放状態において、撹拌体２のブラシ体２０が本体ケース２１に対して着脱可能に連結してあることを特徴とする泡立器。
こうした泡立器によれば、撹拌体２のブラシ体２０で発泡要素を撹拌することにより、発泡要素を効果的に発泡させてムース状の泡塊を効率よく生成できる。このとき泡生成部４の空間を開放できるので、泡塊の取り出しが容易となる。ブラシ体２０が本体ケース２１に対して着脱可能に連結しているので、取り外したブラシ体２０で泡塊を必要個所に塗付できるので、泡立後の泡塊の塗付作業を簡便に、しかも速やかに行うことができる。泡を塗付するときは、本体ケース２１に比べて軽量のブラシ体２０のみを保持すればよいので、持ち重りすることもなくていねいに泡を塗付できる。また、ブラシ体２０を肌面に接触させてなでつけることにより、ユーザーの好みに合った洗浄状態で肌面を積極的に洗浄できる。ブラシ体２０を水洗い洗浄するときに、ブラシ体２０の隅々までていねいに洗浄して泡を確実に洗い流すことができる。
【０１００】
ブラシ束６１は断面円形に形成する必要はなく、断面長円状、断面楕円状、断面多角形状などであってもよい。ブラシ支持体における継手体６４と装着構造９３とは個別に設けてあってもよい。ブラシ支持具１０は、泡立容器１の周囲や、ホルダー３の下周面の任意位置に設けることができる。また、必要があればスタンド５にブラシ支持具１０を一体に形成することができ、例えば、ホルダー３とスタンド５との間に収納区画を設けて、そこにブラシ体２０を収納保存することができる。さらに、ブラシ体２０は、そのブラシ束６１が下向きになる状態で保管する必要なく、斜め、あるいは横向きにした状態で保管することができる。
【０１０１】
以上のように構成した泡立器は、洗顔用の洗浄剤を泡立てる以外に、シェービング用の洗浄剤を泡立てる際や、毛染め剤を泡立てる際にも使用することができる。また、ミルクや卵白などの液状食材を泡立てる用途にも使用することができる。
【符号の説明】
【０１０２】
１  泡立容器
２  撹拌体
３  ホルダー
４  泡生成部
５  スタンド
８  ホルダー底壁
９  ホルダー側壁
１０  ブラシ支持具
１１  区分壁
１２  連通溝
１３  規制部
１４  排液口
１５  器底壁
１６  器周囲壁
１７  泡立リブ
１８  カバー収納部
２０  ブラシ体
２１  本体ケース
２６  スイッチ
２８  モーター
３４  肩部
３９  駆動軸
６０  ブラシベース
６１  ブラシ束
６４  継手体
７６  ブラシ軸部
７７  ブラシ先端部
７８  保持凹部
８０  化粧カバー
８３  指掛片
８８  泡還流壁
８９  空気導入隙間
９０  泡流下壁
９１  泡受壁
９２  泡戻し壁
９３  装着構造
９４  水受
９６  偏寄半部
９７  残存半部
１０１  ブラシ水受
１２０  ブラシ台
【図１】
2015205077.tif 000003
【図２】
2015205077.tif 000004
【図３】
2015205077.tif 000005
【図４】
2015205077.tif 000006
【図５】
2015205077.tif 000007
【図６】
2015205077.tif 000008
【図７】
2015205077.tif 000009
【図８】
2015205077.tif 000010
【図９】
2015205077.tif 000011
【図１０】
2015205077.tif 000012
【図１１】
2015205077.tif 000013
【図１２】
2015205077.tif 000014
【図１３】
2015205077.tif 000015
【図１４】
2015205077.tif 000016
【図１５】
2015205077.tif 000017
【図１６】
2015205077.tif 000018
【図１７】
2015205077.tif 000019
【図１８】
2015205077.tif 000020
【図１９】
2015205077.tif 000021
【図２０】
2015205077.tif 000022
【図２１】
2015205077.tif 000023
【図２２】
2015205077.tif 000024
【図２３】
2015205077.tif 000025
【図２４】
2015205077.tif 000026
【図２５】
2015205077.tif 000027
【図２６】
2015205077.tif 000028
【図２７】
2015205077.tif 000029
【図２８】
2015205077.tif 000030
【図２９】
2015205077.tif 000031
【図３０】
2015205077.tif 000032
【図３１】
2015205077.tif 000033